(57)【要約】      （修正有）【課題】音と光が饗宴する水上キャンドル灯火のファウンテン装置を提供する。【解決手段】水上キャンドル灯火のファウンテン装置は、外壁で囲まれる収容空間、及び収容空間を第１半部と第２半部とに区画する仕切板１４を有する容器１と、収容空間内に位置する発光部材２と、第１半部及び第２半部を連通する汲み上げモータ３とを備える。第１半部及び第２半部は開口を介して相互連通し、仕切板上に突リブ１４１を有する。収容空間は、水などの流体を受容する。汲み上げモータの起動後、水を第１半部から第２半部に向けて、または第２半部から第１半部に向けて流動させ、光線を流動中の水に通過させて光影変化を表示させるとともに、流動の水が突リブを通過して垂れ落ちた後、容器の表面に衝撃して耳に快い音を発生させることで、音と光を同時に表現する。【選択図】図１
0003203765.tif 000002
【実用新案登録請求の範囲】
【請求項１】
容器と、発光部材と、汲み上げモータと、電源とを備える水上キャンドル灯火のファウンテン装置であって、
前記容器は、外壁で囲まれる収容空間と、前記収容空間を第１半部と第２半部とに区画する仕切板とを有し、前記第１半部及び前記第２半部は開口を介して相互連通し、前記開口と前記容器の底部とに高度差があり、前記仕切板上に突リブを有し、前記突リブと前記容器の底部とに高度差があり、
前記発光部材は、前記収容空間内に位置し、
前記汲み上げモータは、前記収容空間の前記第１半部と前記第２半部とを連通し、
前記電源は、前記発光部材及び前記汲み上げモータに電気的に接続されることを特徴とする、水上キャンドル灯火のファウンテン装置。
【請求項２】
前記外壁の高度は前記仕切板の高度よりも高いことを特徴とする、請求項１に記載の水上キャンドル灯火のファウンテン装置。
【請求項３】
前記外壁の高度は前記仕切板の高度よりも低いことを特徴とする、請求項１に記載の水上キャンドル灯火のファウンテン装置。
【請求項４】
前記仕切板は取り囲む密閉形態を呈し、前記第１半部及び前記第２半部を同心形態に呈させることを特徴とする、請求項１に記載の水上キャンドル灯火のファウンテン装置。
【請求項５】
前記突リブは前記第１半部に対面することを特徴とする、請求項４に記載の水上キャンドル灯火のファウンテン装置。
【請求項６】
前記突リブは前記第２半部に対面することを特徴とする、請求項４に記載の水上キャンドル灯火のファウンテン装置。
【請求項７】
一端が浮遊装飾体に連結され、他端が前記容器上に固定される連結紐を有し、前記浮遊装飾体を前記収容空間の前記第１半部内に位置させることを特徴とする、請求項４に記載の水上キャンドル灯火のファウンテン装置。
【請求項８】
前記仕切板は上広下狭形態を呈し、前記発光部材は、前記第２半部で前記仕切板のより狭い位置に近接して配置されており、前記第１半部で前記開口に近接して配置されている別の発光部材を有することを特徴とする、請求項４に記載の水上キャンドル灯火のファウンテン装置。
【請求項９】
前記別の発光部材の上方に位置する火炎形態の透明または半透明筐体を有することを特徴とする、請求項８に記載の水上キャンドル灯火のファウンテン装置。
【請求項１０】
前記火炎形態の透明または半透明筐体の外縁に位置する浅皿状の透明または半透明筐体を有することを特徴とする、請求項９に記載の水上キャンドル灯火のファウンテン装置。
【請求項１１】
前記容器の外壁及び仕切り板は透光可能であることを特徴とする、請求項１に記載の水上キャンドル灯火のファウンテン装置。
【請求項１２】
前記電源は電池を含むことを特徴とする、請求項１に記載の水上キャンドル灯火のファウンテン装置。
【請求項１３】
前記発光部材は発光ダイオードであることを特徴とする、請求項１に記載の水上キャンドル灯火のファウンテン装置。
【請求項１４】
前記電源と前記発光部材との間に連結され、及び前記電源と前記汲み上げモータとの間に連結されるスイッチを有することを特徴とする、請求項１に記載の水上キャンドル灯火のファウンテン装置。
【請求項１５】
前記スイッチはタイマーを有することを特徴とする、請求項１４に記載の水上キャンドル灯火のファウンテン装置。
【請求項１６】
前記収容空間内に流体を注入し、前記流体内にエッセンスが混合されていることを特徴とする、請求項１に記載の水上キャンドル灯火のファウンテン装置。
【請求項１７】
前記収容空間内に位置する気泡発生装置を有することを特徴とする、請求項１に記載の水上キャンドル灯火のファウンテン装置。
【請求項１８】
容器と、発光部材と、汲み上げモータと、電源とを備える水上キャンドル灯火のファウンテン装置であって、
前記容器は、外壁で囲まれる収容空間と、前記収容空間を上層空間と下層空間とに区画する第１仕切板と、前記上層空間を第１半部と第２半部とに区画する第２仕切板とを有し、前記第１半部及び前記第２半部は開口を介して相互連通し、前記開口と前記容器の前記第１仕切板とに高度差があり、前記第２仕切板上に突リブを有し、前記突リブと前記容器の前記第１仕切板とに高度差があり、
前記発光部材は、前記容器上に配置されていると共に、前記上層空間内に位置し、
前記汲み上げモータは、前記容器上に配置されていると共に、前記上層空間内に位置し、前記第１半部と前記第２半部とを連通し、
前記電源は、前記容器上に配置されていると共に、前記下層空間内に位置し、前記発光部材及び前記汲み上げモータに電気的に接続されることを特徴とする、水上キャンドル灯火のファウンテン装置。
【考案の詳細な説明】
【技術分野】
【０００１】
本考案は水上キャンドル灯火のファウンテン装置に関する。
【背景技術】
【０００２】
早期、キャンドルは、発光照明の用途として用いられ、近年では、生活の楽しみを増すための照明設備になりつつあり、例えば食卓灯や展示灯などが挙げられる。而して、俗称、無炎キャンドルというキャンドルは、点火して使用する必要はなく、キャンドル効果を表現させるために、ＬＥＤ灯などの発光部材をキャンドル外観の外枠に結合するものに置き換えるものであり、環境保全のほか、コスト節約にも大きく寄与すると考えられる。
【０００３】
無炎キャンドルの構造は、例えば特許文献１、当該出願は、発光部材の発光を利用して、光線を流動の水を通過させて光影変化の効果を形成するものである。
ただ、一般の無炎キャンドルは、通常、発光機能だけを備えるため、使用上、やや単調である。
【先行技術文献】
【特許文献】
【０００４】
【特許文献１】米国特許出願公開第２０１３／０２２３０４３（Ａ１）号明細書
【考案の概要】
【考案が解決しようとする課題】
【０００５】
本考案の目的は、発光照明の効果を提供するほか、さらに、耳に快い水流衝撃音を発生させることで、同時に音と光の饗宴を提供する、水上キャンドル灯火のファウンテン装置を提出する。
【課題を解決するための手段】
【０００６】
上記目的を達成するために、本考案は、容器と、発光部材と、汲み上げモータと、電源とを備え、容器は、外壁で囲まれる収容空間と、前記収容空間を第１半部と第２半部とに区画する仕切板とを有し、前記第１半部及び前記第２半部は開口を介して相互連通し、前記開口と前記容器の底部とに高度差があり、前記仕切板上に突リブを有し、前記突リブと前記容器の底部とに高度差があり、発光部材は、前記収容空間内に位置し、汲み上げモータは、前記収容空間の第１半部と第２半部とを連通し、電源は、前記発光部材及び汲み上げモータに電気的に接続される。
【０００７】
さらに、前記外壁の高度は前記仕切板の高度よりも高い。
【０００８】
さらに、前記外壁の高度は前記仕切板の高度よりも低い。
【０００９】
さらに、前記仕切板は取り囲む密閉形態を呈し、前記第１半部及び前記第２半部を同心形態に呈させる。
【００１０】
さらに、前記突リブは前記第１半部に対面する。
【００１１】
さらに、前記突リブは前記第２半部に対面する。
【００１２】
さらに、一端が浮遊装飾体に連結され、他端が前記容器上に固定される連結紐を有し、前記浮遊装飾体を前記収容空間の第１半部内に位置させる。
【００１３】
さらに、前記仕切板は上広下狭形態を呈し、前記発光部材は、前記第２半部で前記仕切板のより狭い位置に近接して配置されており、前記第１半部で前記開口に近接して配置されている別の発光部材を有する。
【００１４】
さらに、前記別の発光部材の上方に火炎形態を呈する透明または半透明筐体が設けられている。
【００１５】
さらに、前記火炎形態の透明または半透明筐体の外縁に浅皿状の透明または半透明筐体が設けられている。
【００１６】
さらに、前記容器の外壁及び仕切り板は透光可能である。
【００１７】
さらに、前記電源は電池を含む。
【００１８】
さらに、前記発光部材は発光ダイオードである。
【００１９】
さらに、前記電源と前記発光部材との間に連結され、及び前記電源と前記汲み上げモータとの間に連結されるスイッチを有する。
【００２０】
さらに、前記スイッチはタイマーを有する。
【００２１】
さらに、前記収容空間内に流体を注入し、前記流体内にエッセンスが混合されている。
【００２２】
さらに、前記収容空間内に位置する気泡発生装置を有する。
【００２３】
本考案は、また電源を簡便に収納するために、各構造を電源と一体に整合させる、水上キャンドル灯火のファウンテン装置を提出する。この水上キャンドル灯火のファウンテン装置は、容器と、発光部材と、汲み上げモータと、電源とを備え、容器は、外壁で囲まれる収容空間と、前記収容空間を上層空間と下層空間とに区画する第１仕切板と、前記上層空間を第１半部と第２半部とに区画する第２仕切板とを有し、前記第１半部及び前記第２半部は開口を介して相互連通し、前記開口と前記容器の第１仕切板とに高度差があり、前記第２仕切板上に突リブを有し、前記突リブと前記容器の第１仕切板とに高度差があり、発光部材は、前記容器上に配置されていると共に、前記上層空間内に位置し、汲み上げモータは、前記容器上に配置されていると共に、前記上層空間内に位置し、前記第１半部と第２半部とを連通し、電源は、前記容器上に配置されていると共に、前記下層空間内に位置し、前記発光部材及び汲み上げモータに電気的に接続される。
【考案の効果】
【００２４】
１．本考案は、光線を流動中の水に通過させて表示させる光影変化、及び流動中の水が突リブを通過して垂れ落ちた時に発生させる衝撃音を利用して、音と光を同時に表現できる効果を有する。
２．本考案は、仕切板を異なる外観に配置し、突リブが収容空間の第１半部または第２半部に対面することに合わせて、水流を異なる流動効果を表示させると共に、異なる光影変化を形成することによって、本考案で作成した製品の多様性を増加することができる。
３．容器上に浮遊装飾体が連結され、浮遊装飾体を水流に伴って浮遊させることで、使用の楽しさをより一層惹起させることができる。
４．モータ及び発光部材は、タイマーを利用して運転時間を設定することができるため、省エネ・環境保全の効果を有する。
５．容器内を上層空間及び下層空間に区画し、各構成部材を上層空間に設置し、電源を下層空間に収納することにより、各構成部材を電源と一体に整合させることができる。
６．使用する流体（例えば水）内にエッセンスを加えれば、本考案は、視覚、聴覚の饗宴を楽しむことができるのみならず、さらに嗅覚の感受性を増す効果を持つ。
【図面の簡単な説明】
【００２５】
【図１】本考案の第１実施例の構造模式図である。
【図２】本考案の第１実施例における一部構成部材の機能ブロック図である。
【図３】本考案の第１実施例の使用状態図である。
【図４】本考案の第２実施例の使用状態図である。
【図５】本考案の第３実施例の使用状態図である。
【考案を実施するための形態】
【００２６】
本考案の技術内容、構造特徴、達成する目的を詳細に説明するため、以下に実施例を挙げ並びに図面を組み合わせて説明する。
【００２７】
本考案の第１実施例を図１を参照して説明する。本実施例は、容器（１）を備え、容器（１）は、外壁（１１）で囲まれる収容空間（１２）と、前記収容空間（１２）を上層空間（１２１）と下層空間（１２２）とに区画する第１仕切板（１３）と、前記上層空間（１２１）を第１半部（１２１１）と第２半部（１２１２）とに区画する第２仕切板（１４）とを有し、前記第１半部（１２１１）及び前記第２半部（１２１２）は開口（１２１３）を介して相互連通し、前記開口（１２１３）と前記容器（１）の第１仕切板（１３）とに高度差があり、前記第２仕切板（１４）上に突リブ（１４１）を有し、前記突リブ（１４１）と前記容器（１）の第１仕切板（１３）とに高度差がある。本実施例において、前記第２仕切板（１４）は取り囲む密閉形態を呈し、前記第１半部（１２１１）及び前記第２半部（１２１２）を同心形態に呈させ、前記第１半部（１２１１）は内部に位置し、前記第２半部（１２１２）は外部に位置して前記第１半部（１２１１）を包囲し、かつ前記第２仕切板（１４）は上広下狭形態を呈する。前記突リブ（１４１）は前記第２半部（１２１２）に対面し、しかも前記外壁（１１）の高度は前記第２仕切板（１４）の高度よりも高い。前記容器（１）の前記外壁（１１）は少なくとも前記上層空間（１２１）に対応する部分が透光可能なものであり、前記第２仕切板（１４）も透光可能なものである。
【００２８】
図１及び図２を参照して、本実施例は、さらに、発光部材（２）と、汲み上げモータ（３）と、電源（４）とを備える。発光部材（２）は、前記容器（１）上に配置されていると共に、前記上層空間（１２１）内に位置する。前記発光部材（２）は、前記第２半部（１２１２）で前記第２仕切板（１４）のより狭い位置に近接して配置されていると共に、前記第１半部（１２１１）で前記開口（１２１３）に近接して配置されている別の発光部材（２）を有し、及び前記別の発光部材（２）の上方に位置する火炎形態を呈する透明または半透明筐体（２１）と、前記火炎形態の透明または半透明筐体（２１）の外縁に設けられている浅皿状の透明または半透明筐体（２２）とを有し、前記火炎形態の透明または半透明筐体（２１）及び前記浅皿状の透明または半透明筐体（２２）は、複数本の支持脚（２１１，２２１）を利用して前記第２仕切板（１４）上に支持され、前記支持脚（２１１，２２１）の間に保留されるくりぬき穴（２１２，２２２）は流体の通過に供される。前記発光部材（２）としては、発光ダイオード（ＬＥＤ）を使用することが好ましい。
汲み上げモータ（３）は、前記容器（１）上に配置されていると共に、前記上層空間（１２１）内に位置する。前記汲み上げモータ（３）は、前記第１半部（１２１１）と第２半部（１２１２）とを連通する。
電源（４）は、前記容器（１）上に配置されていると共に、前記下層空間（１２２）内に位置する。前記電源（４）は、前記発光部材（２）及び汲み上げモータ（３）に電気的に接続され、かつ前記電源（４）は電池を含む。さらに、前記電源（４）と前記発光部材（２）との間に連結され、及び前記電源（４）と前記汲み上げモータ（３）との間に連結されるスイッチ（５）を有する。またさらに、前記スイッチ（５）はタイマー（５１）を有する。前記収容空間（１２）は、前記上層空間（１２１）及び下層空間（１２２）の二層配置により、各構成部材を前記電源（４）と一体に整合させることができるので、便利に携帯することができる。
【００２９】
図３を参照して、前記上層空間（１２１）に、例えば水などの流体（６）を注入する。前記スイッチ（５）を利用して前記発光部材（２）及び汲み上げモータ（３）を起動させ、この時、前記汲み上げモータ（３）により前記流体（６）を前記上層空間（１２１）の第２半部（１２１２）の低い箇所から前記第１半部（１２１１）に引き込み、そして前記第１半部（１２１１）の高い箇所から前記第２半部（１２１２）に溢れ流戻し、これにより、前記流体（６）を循環流動させる。前記流体（６）を前記第２半部（１２１２）に溢れ流戻す時、水面はモータの動力によって前記開口（１２１３）から若干突出して擬似水柱の形態に形成され、溢れ流れる流体（６）が前記突リブ（１４１）を通過して擬似瀑布の効果を形成し、前記外壁（１１）と前記第２半部（１２１２）内の残余流体（６）とに衝撃し、これにより、耳に快い水流音を発生させると同時に、前記第２半部（１２１２）の発光部材（２）が発した光線を流動中の流体（６）を通過させて光影変化を表示させ、前記第１半部（１２１１）の発光部材（２）が前記開口（１２１３）に近接するため、発した光線を前記突出した水柱を通過させる時、擬似火炎の視覚効果を形成してキャンドルの擬似キャンドルライトを表示させ、特に、記第１半部（１２１１）の発光部材（２）上に、また前記火炎形態の透明または半透明筐体（２１）を有し、光線を前記火炎形態の透明または半透明筐体（２１）を介して発光させる時、擬似キャンドルライトの光影効果をさらに強化させることができる。そのほか、前記流体（６）が前記浅皿状の透明または半透明筐体（２２）まで満ち溢れた時、前記浅皿状の透明または半透明筐体（２２）内の流体（６）が、擬似溶蝋の外観を表現することができ、使用者に特殊な視覚感受性を与え、なおかつ暗い室内環境に使用する時、墻壁には光線の投射によって光影揺曳の形態を表示させることで、本考案は同時に音と光の饗宴を提供し、観賞者に対しより好ましい感覚刺激を与えることができる。さらに、使用する流体（６）内に、例えばハーブ精油などのエッセンスを加えれば、前記流体（６）を循環流動させる過程において香気を発散することができ、本考案は、視覚、聴覚の饗宴を楽しむことができるのみならず、さらに嗅覚の感受性を増す効果を持つ。そのほか、使用者が前記タイマー（５１）を利用して前記発光部材（２）及び汲み上げモータ（３）の運転時間を設定することができるため、省エネ・環境保全の効果を有する。
【００３０】
本考案の第２実施例を図４を参照して説明する。第１実施例との違いは、本実施例は、容器（１Ａ）を備え、容器（１Ａ）は、外壁（１１Ａ）で囲まれる収容空間（１２Ａ）と、前記収容空間（１２Ａ）を上層空間（１２１Ａ）と下層空間（１２２Ａ）とに区画する第１仕切板（１３Ａ）と、前記上層空間（１２１Ａ）を第１半部（１２１１Ａ）と第２半部（１２１２Ａ）とに区画する第２仕切板（１４Ａ）とを有し、前記第１半部（１２１１Ａ）及び前記第２半部（１２１２Ａ）は開口（１２１３Ａ）を介して相互連通し、前記第２仕切板（１４Ａ）上に突リブ（１４１Ａ）を有し、本実施例において、前記外壁（１１Ａ）の高度は第２仕切板（１４Ａ）の高度よりも低い点である。これにより、異なる音と光の効果を表現できる。
【００３１】
本考案の第３実施例を図５を参照して説明する。本実施例は、容器（１Ｂ）と、発光部材（２Ｂ）とを備え、容器（１Ｂ）は、外壁（１１Ｂ）で囲まれる収容空間（１２Ｂ）と、前記収容空間（１２Ｂ）を上層空間（１２１Ｂ）と下層空間（１２２Ｂ）とに区画する第１仕切板（１３Ｂ）と、前記上層空間（１２１Ｂ）を第１半部（１２１１Ｂ）と第２半部（１２１２Ｂ）とに区画する第２仕切板（１４Ｂ）とを有し、前記第１半部（１２１１Ｂ）及び前記第２半部（１２１２Ｂ）は開口（１２１３Ｂ）を介して相互連通し、前記開口（１２１３Ｂ）と前記容器（１Ｂ）の第１仕切板（１３Ｂ）とに高度差があり、前記第２仕切板（１４Ｂ）上に突リブ（１４１Ｂ）を有し、前記突リブ（１４１Ｂ）と前記容器（１Ｂ）の第１仕切板（１３Ｂ）とに高度差がある。本実施例において、前記第２仕切板（１４Ｂ）は取り囲む密閉形態を呈し、前記第１半部（１２１１Ｂ）及び前記第２半部（１２１２Ｂ）を同心形態に呈させ、前記第１半部（１２１１Ｂ）は内部に位置し、前記第２半部（１２１２Ｂ）は外部に位置して前記第１半部（１２１１Ｂ）を包囲する。前記突リブ（１４１Ｂ）は前記第１半部（１２１１Ｂ）に対面し、しかも前記容器（１Ｂ）の前記外壁（１１Ｂ）は少なくとも前記上層空間（１２１Ｂ）に対応する部分が透明を呈するものである。さらに、一端が浮遊装飾体（１６Ｂ）に連結され、他端が前記容器（１Ｂ）上に固定される連結紐（１５Ｂ）と、前記第２半部（１２１２Ｂ）に配置されている気泡発生装置（１７Ｂ）とを有し、前記浮遊装飾体（１６Ｂ）を前記上層空間（１２１Ｂ）の第１半部（１２１１Ｂ）内に位置させる。発光部材（２Ｂ）は、前記上層空間（１２１Ｂ）の第１半部（１２１１Ｂ）に配置されており、別の発光部材（２Ｂ）は、前記浮遊装飾体（１６Ｂ）上に配置されている。使用時、前記流体（６Ｂ）を前記上層空間（１２１Ｂ）の第１半部（１２１１Ｂ）の低い箇所から前記第２半部（１２１２Ｂ）に引き込み、そして前記第２半部（１２１２Ｂ）の高い箇所から前記第１半部（１２１１Ｂ）に溢れ流戻し、これにより、前記流体（６Ｂ）を循環流動させる。前記流体（６Ｂ）を前記第１半部（１２１１Ｂ）に溢れ流戻す時、流体（６）が前記突リブ（１４１Ｂ）を通過して擬似瀑布の衝撃効果を形成する。従って、使用時、異なる音光変化を表示させ、浮遊装飾体（１６Ｂ）を流体（６Ｂ）の流動に伴って浮遊させることで、前記気泡発生装置（１７Ｂ）により下から上へ浮遊する気泡を発生させることで、使用の楽しさをより一層惹起させることができる。
【００３２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３３】
１，１Ａ，１Ｂ    容器
１１，１１Ａ，１１Ｂ    外壁
１２，１２Ａ，１２Ｂ    収容空間
１２１，１２１Ａ，１２１Ｂ    上層空間
１２１１，１２１１Ａ，１２１１Ｂ    第１半部
１２１２，１２１２Ａ，１２１２Ｂ    第２半部
１２１３，１２１３Ａ，１２１３Ｂ    開口
１２２，１２２Ａ，１２２Ｂ    下層空間
１３，１３Ａ，１３Ｂ    第１仕切板
１４，１４Ａ，１４Ｂ    第２仕切板
１４１，１４１Ａ，１４１Ｂ    突リブ
１５Ｂ    連結紐
１６Ｂ    浮遊装飾体
１７Ｂ    気泡発生装置
２，２Ｂ    発光部材
２１    火炎形態の透明または半透明筐体
２１１    支持脚
２１２    くりぬき穴
２２    浅皿状の透明または半透明筐体
２２１    支持脚
２２２    くりぬき穴
３    汲み上げモータ
４    電源
５    スイッチ
５１    タイマー
６，６Ｂ    流体
【図１】
0003203765.tif 000003
【図２】
0003203765.tif 000004
【図３】
0003203765.tif 000005
【図４】
0003203765.tif 000006
【図５】
0003203765.tif 000007